(57)【特許請求の範囲】
【請求項１】
サーバと、機器と、前記機器をコントロールする第１のコントローラとを含む認証システムにおける認証方法であって、
前記機器が、第１の証明書失効リストと機器履歴情報とを保持し、
前記サーバが、第２の証明書失効リストを保持し、
前記機器が、前記機器履歴情報と前記第１の証明書失効リストの第１の新旧識別情報とを含んで構成される認証情報付加機器履歴情報を前記第１のコントローラに送信し、
前記第１のコントローラが、前記認証情報付加機器履歴情報を前記サーバに送信し、
前記サーバが、前記認証情報付加機器履歴情報からの前記第１の証明書失効リストに含まれる第１の新旧識別情報と、前記第２の証明書失効リストに含まれる第２の新旧識別情報とを比較し、前記第１の新旧識別情報が前記第２の新旧識別情報よりも古いことを示す場合、前記第１のコントローラが不正であると判断する、
ことを特徴とする認証方法。
【請求項２】
前記サーバが、前記第１のコントローラが不正であると判断した場合、
前記サーバが、前記機器と接続された第２のコントローラに対して、前記第２の証明書失効リストを送信し、
前記第２のコントローラが、前記第２の証明書失効リストを前記機器に送信し、
前記機器が、前記第２の証明書失効リストで前記第１の証明書失効リストを更新する
ことを特徴とする請求項１記載の認証方法。
【請求項３】
前記サーバが、前記第１のコントローラが不正であると判断した場合、
前記サーバが、
前記第１のコントローラが不正であることを示す不正判定情報を記録し、
前記第１のコントローラからの処理要求があった場合に、前記不正判定情報を参照し、
前記第１のコントローラからの処理要求を実施しない
ことを特徴とする請求項１記載の認証方法。
【請求項４】
前記サーバが、前記第１のコントローラが不正であると判断した場合、
前記サーバが、前記機器に対して、前記第２の証明書失効リストを送信し、
前記機器が、前記第２の証明書失効リストで前記第１の証明書失効リストを更新する
ことを特徴とする請求項１記載の認証方法。
【請求項５】
サーバと、機器と、前記機器をコントロールする第１のコントローラとを含む認証システムであって、
前記機器は、第１の証明書失効リストと機器履歴情報とを保持し、
前記サーバは、第２の証明書失効リストを保持し、
前記機器は、前記機器履歴情報と前記第１の証明書失効リストの第１の新旧識別情報とを含んで構成される認証情報付加機器履歴情報を前記第１のコントローラに送信し、
前記第１のコントローラは、前記認証情報付加機器履歴情報を前記サーバに送信し、
前記サーバは、前記認証情報付加機器履歴情報からの前記第１の証明書失効リストに含まれる第１の新旧識別情報と、前記第２の証明書失効リストに含まれる第２の新旧識別情報とを比較し、前記第１の新旧識別情報が前記第２の新旧識別情報よりも古いことを示す場合、前記第１のコントローラが不正であると判断する
ように構成された認証システム。
【請求項６】
請求項５の認証システムに接続される前記機器。
【発明の詳細な説明】
【技術分野】
【０００１】
本開示は、安全に機器とコントローラを接続することを可能とする認証システムに関する。
【背景技術】
【０００２】
近年、家庭内の家電やＡＶ機器がネットワークに接続し、そこからクラウドに収集される各種履歴情報を用いたサービスが期待されている。このとき、家庭内にコントローラを設置し、家電機器からメーカサーバへの履歴情報の送信はコントローラが中継して行う。このコントローラと家電機器の接続を安全に設定することで、家庭内の通信を制御し、無線通信における情報の漏洩やなりすましによる家庭内のネットワークへの接続を防止する。【０００３】
このため、従来、Ｗｉ−Ｆｉアライアンスでは、Ｗｉ−Ｆｉ  Ｐｒｏｔｅｃｔｅｄ  Ｓｅｔｕｐとよばれる機器間の接続を容易に行えるようにするための規格を策定している（非特許文献１）。しかしながら、Ｗｉ−Ｆｉの無線接続では、コントローラに相当するアクセスポイントの機器と家電機器間において、機器の相互接続性を保証しているだけであり、接続相手が正当な機器であるかは認証しない。【０００４】
従来、機器の正当性を認証するために、公開鍵認証基盤（ＰＫＩ：Ｐｕｂｌｉｃ  Ｋｅｙ  Ｉｎｆｒａｓｔｒｕｃｔｕｒｅ）を用いることが知られている（非特許文献２）。ＰＫＩに基づく認証は、エンティティ（家電機器やコントローラ）が秘密鍵と認証局から発行された公開鍵証明書を持っていることを認証することで機器の正当性を保証する。公開鍵証明書は秘密鍵の漏洩などが発生すると、公開鍵証明書を使った不正を防止するために、公開鍵証明書の失効が必要となる。公開鍵証明書の失効の手段としては証明書の失効リストであるＣＲＬ（Ｃｅｒｔｉｆｉｃａｔｅ  Ｒｖｏｃａｔｉｏｎ  Ｌｉｓｔ）が代表される（非特許文献２）。ＣＲＬとは失効した公開鍵証明書のリストであり、失効した公開鍵証明書のＩＤなどに、公開鍵証明書を発行した認証局が署名をつけて配布する。家電機器やコントローラのエンティティは、接続する他のエンティティの公開鍵証明書がＣＲＬに記載されていないかを検証する。そのため、ＣＲＬは最新のＣＲＬを用いる必要がある。
【先行技術文献】
【非特許文献】
【０００５】
【非特許文献１】Ｗｉ−Ｆｉ  Ａｌｌｉａｎｃｅ、“Ｗｉ−Ｆｉ  ＣＥＲＴＩＦＩＥＤ  Ｗｉ−Ｆｉ  Ｐｒｏｔｅｃｔｅｄ  Ｓｅｔｕｐ：  Ｅａｓｉｎｇ  ｔｈｅ  Ｕｓｅｒ  Ｅｘｐｅｒｉｅｎｃｅ  ｆｏｒ  Ｈｏｍｅ  ａｎｄ  Ｓｍａｌｌ  Ｏｆｆｉｃｅ  Ｗｉ−ＦｉＲ  Ｎｅｔｗｏｒｋｓ  （２０１０）”、［ｏｎｌｉｎｅ］、２０１０年１２月、［２０１４年６月２４日検索］、インターネット＜ＵＲＬ：ｈｔｔｐ：／／ｗｗｗ．ｗｉ−ｆｉ．ｏｒｇ／ｊａ／ｆｉｌｅ／ｗｉ−ｆｉ−ｃｅｒｔｉｆｉｅｄ−ｗｉ−ｆｉ−ｐｒｏｔｅｃｔｅｄ−ｓｅｔｕｐ％Ｅ２％８４％Ａ２−ｅａｓｉｎｇ−ｔｈｅ−ｕｓｅｒ−ｅｘｐｅｒｉｅｎｃｅ−ｆｏｒ−ｈｏｍｅ−ａｎｄ−ｓｍａｌｌ−ｏｆｆｉｃｅ−ｗｉ＞
【非特許文献２】宮地充子／菊池浩明編著、「ＩＴ  Ｔｅｘｔ  情報セキュリティ」、オーム社、２００３年１０月
【非特許文献３】Ｎａｔｉｏｎａｌ  Ｓｅｃｕｒｉｔｙ  Ａｇｅｎｃｙ、“Ｓｕｉｔｅ  Ｂ  Ｉｍｐｌｅｍｅｎｔｅｒ‘ｓ  Ｇｕｉｄｅ  ｔｏ  ＦＩＰＳ  １８６−３  （ＥＣＤＳＡ）”、［ｏｎｌｉｎｅ］、２０１０年２月３日、［２０１４年６月２４日検索］、インターネット＜ＵＲＬ：ｈｔｔｐ：／／ｗｗｗ．ｎｓａ．ｇｏｖ／ｉａ／＿ｆｉｌｅｓ／ｅｃｄｓａ．ｐｄｆ＞
【非特許文献４】Ｅｌａｉｎｅ  Ｂａｒｋｅｒ、他３名、ＮＩＳＴ  Ｓｐｅｃｉａｌ  Ｐｕｂｌｉｃａｔｉｏｎ  ８００−５６Ａ  Ｒｅｖｉｓｉｏｎ２、“Ｒｅｃｏｍｍｅｎｄａｔｉｏｎ  ｆｏｒ  Ｐａｉｒ−Ｗｉｓｅ  Ｋｅｙ−Ｅｓｔａｂｌｉｓｈｍｅｎｔ  Ｓｃｈｅｍｅｓ  Ｕｓｉｎｇ  Ｄｉｓｃｒｅｔｅ  Ｌｏｇａｒｉｔｈｍ  Ｃｒｙｐｔｏｇｒａｐｈｙ”、［ｏｎｌｉｎｅ］、２０１３年５月１３日、Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ、［２０１４年６月２４日検索］、インターネット＜ＵＲＬ：ｈｔｔｐ：／／ｎｖｌｐｕｂｓ．ｎｉｓｔ．ｇｏｖ／ｎｉｓｔｐｕｂｓ／ＳｐｅｃｉａｌＰｕｂｌｉｃａｔｉｏｎｓ／ＮＩＳＴ．ＳＰ．８００−５６Ａｒ２．ｐｄｆ＞
【非特許文献５】Ｄ．Ｆｏｒｓｂｅｒｇ、他４名、ＲＦＣ５１９１、“Ｐｒｏｔｏｃｏｌ  ｆｏｒ  Ｃａｒｒｙｉｎｇ  Ａｕｔｈｅｎｔｉｃａｔｉｏｎ  ｆｏｒ  Ｎｅｔｗｏｒｋ  Ａｃｃｅｓｓ  （ＰＡＮＡ）”、［ｏｎｌｉｎｅ］、２００８年５月、Ｉｎｔｅｒｎｅｔ  Ｅｎｇｉｎｅｅｒｉｎｇ  Ｔａｓｋ  Ｆｏｒｃｅ、［２０１４年６月２４日検索］、インターネット＜ＵＲＬ：ｈｔｔｐ：／／ｗｗｗ．ｒｆｃ−ｅｄｉｔｏｒ．ｏｒｇ／ｒｆｃ／ｐｄｆｒｆｃ／ｒｆｃ５１９１．ｔｘｔ．ｐｄｆ＞
【発明の概要】
【発明が解決しようとする課題】
【０００６】
上記、従来の認証システムでは更なる改善が必要とされていた。
【課題を解決するための手段】
【０００７】
本開示の一態様にかかる認証方法は、サーバと、機器と、機器をコントロールする第１のコントローラとを含む認証システムにおける認証方法であって、
機器が、第１の証明書失効リストと機器履歴情報とを保持し、
サーバが、第２の証明書失効リストを保持し、
機器が、機器履歴情報と第１の証明書失効リストの第１の新旧識別情報とを含んで構成される認証情報付加機器履歴情報を第１のコントローラに送信し、
第１のコントローラが、認証情報付加機器履歴情報を前記サーバに送信し、
サーバが、認証情報付加機器履歴情報からの第１の証明書失効リストに含まれる第１の新旧識別情報と、第２の証明書失効リストに含まれる第２の新旧識別情報とを比較し、第１の新旧識別情報が第２の新旧識別情報よりも古いことを示す場合、第１のコントローラが不正であると判断することを特徴とする。【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示によれば、更なる改善が実現できる。
【図面の簡単な説明】
【００１０】
【図１】実施の形態１における認証システムの全体構成図である。
【図２】実施の形態１におけるコントローラの構成図である。
【図３】実施の形態１におけるコントローラの接続機器管理テーブルの一例を示す図である。
【図４】実施の形態１における公開鍵証明書の一例を示す図である。
【図５】実施の形態１におけるＣＲＬの一例を示す図である。
【図６】実施の形態１における機器の構成図である。
【図７】実施の形態１における機器の接続コントローラ管理テーブルの一例を示す図である。
【図８】実施の形態１におけるメーカサーバの構成図である。
【図９】実施の形態１におけるメーカサーバの機器情報管理テーブルの一例を示す図である。
【図１０】実施の形態１におけるポータルサーバの構成図である。
【図１１】実施の形態１における機器登録時のシーケンス図である。
【図１２】実施の形態１における機器登録時のシーケンス図である。
【図１３】実施の形態１におけるメーカサーバのＣＲＬ更新時のシーケンス図である。
【図１４】実施の形態１における機器のＣＲＬ更新時のシーケンス図である。
【図１５】実施の形態１における機器のＣＲＬ更新時のシーケンス図である。
【図１６】実施の形態１における機器のＣＲＬ更新時のシーケンス図である。
【図１７】実施の形態２における機器登録時のシーケンス図である。
【図１８】実施の形態２における機器登録時のシーケンス図である。
【図１９】実施の形態２における機器登録時のシーケンス図である。
【図２０】実施の形態２における機器の接続コントローラ管理テーブルの一例を示す図である。
【図２１】実施の形態２におけるコントローラの接続機器管理テーブルの一例を示す図である。
【図２２】実施の形態２における機器履歴情報の送信処理時のシーケンス図である。
【図２３】実施の形態３における認証システム１０の全体構成図である。
【図２４】実施の形態３における機器の構成図である。
【図２５】実施の形態３における機器履歴情報の構成図である。
【図２６】実施の形態３におけるＣＲＬ情報付加機器履歴情報の構成図である。
【図２７】実施の形態３におけるメーカサーバの構成図である。
【図２８】実施の形態３におけるＣＲＬ判定結果情報の構成図である。
【図２９】実施の形態３におけるＣＲＬ情報付加機器履歴情報をアップロード時のＣＲＬ更新のシーケンス図である。
【図３０】実施の形態３におけるＣＲＬ情報付加機器履歴情報をアップロード時のＣＲＬ更新のシーケンス図である。
【図３１】実施の形態３におけるＣＲＬ情報付加機器履歴情報をアップロード時のＣＲＬ更新のシーケンス図である。
【図３２】実施の形態３における不正コントローラ判定結果を用いたコントローラからの要求処理のシーケンス図である。
【図３３】実施の形態４におけるＣＲＬ情報付加機器履歴情報の構成図である。
【図３４】実施の形態４におけるＣＲＬ情報付加機器履歴情報をアップロード時のＣＲＬ更新のシーケンス図である。
【発明を実施するための形態】
【００１１】
（本開示の基礎となった知見）
家電機器が一つのコントローラとのみ接続する場合、家電機器はＣＲＬをコントローラ経由で取得する。このとき、コントローラが不正機器であった場合、公開鍵証明書がＣＲＬに記載されていても、コントローラがコントローラの公開鍵証明書が記載されているＣＲＬを家電機器に配布しない限り、家電機器はコントローラを正当な機器として認証してしまう。
【００１２】
上記考察に基づき、本発明者らは本開示の各態様を想到するに至った。
【００１３】
本開示の一態様にかかる認証方法は、サーバと、機器と、機器をコントロールする第１のコントローラとを含む認証システムにおける認証方法であって、
機器が、第１の証明書失効リストと機器履歴情報とを保持し、
サーバが、第２の証明書失効リストを保持し、
機器が、機器履歴情報と第１の証明書失効リストの第１の新旧識別情報とを含んで構成される認証情報付加機器履歴情報を第１のコントローラに送信し、
第１のコントローラが、認証情報付加機器履歴情報を前記サーバに送信し、
サーバが、認証情報付加機器履歴情報からの第１の証明書失効リストに含まれる第１の新旧識別情報と、第２の証明書失効リストに含まれる第２の新旧識別情報とを比較し、第１の新旧識別情報が第２の新旧識別情報よりも古いことを示す場合、第１のコントローラが不正であると判断する。
【００１４】
これにより、コントローラが機器に対して最新の証明書失効リストを配布しない場合であっても、サーバは、機器からの操作履歴情報に付与される証明書失効リストの情報を参照することで、コントローラが不正であると判断することができる。
【００１５】
また、証明書失効リストに登録されていないコントローラの不正を検知することができ、不正コントローラ経由で機器を不正に操作されることを確実に防ぐことができる。
【００１６】
さらに、本開示の一実施態様の認証方法は、サーバが、第１のコントローラが不正であると判断した場合、サーバが、機器と接続された第２のコントローラに対して、第２の証明書失効リストを送信し、第２のコントローラが、第２の証明書失効リストを機器に送信し、機器が、第２の証明書失効リストで第１の証明書失効リストを更新する。
【００１７】
これにより、機器が第１のコントローラと第２のコントローラに接続されている構成であり、第１のコントローラが不正であっても、サーバは、第２のコントローラ経由で機器に対して最新の証明書失効リストを配布し、証明書失効リストの更新をさせることが可能となる。
【００１８】
さらに、本開示の一実施態様の認証方法は、サーバが、第１のコントローラが不正であると判断した場合、サーバが第１のコントローラが不正であることを示す不正判定情報を記録し、第１のコントローラからの処理要求があった場合に、不正判定情報を参照し、第１のコントローラからの処理要求を実施しない。
【００１９】
これにより、新規に見つかった不正コントローラが証明書失効リストに登録されるまでの期間においても、不正コントローラに経由による機器に対する不正な制御を防止することができる。
【００２０】
さらに、本開示の一実施態様の認証方法は、サーバが、第１のコントローラが不正であると判断した場合、サーバが機器に対して、第２の証明書失効リストを発行し、機器が、第２の証明書失効リストで第１の証明書失効リストを更新する。
【００２１】
これにより、第１のコントローラが不正と判断された場合に、第１のコントローラを経由せずサーバから機器に対して最新の証明書失効リストを配布し、機器の証明書失効リストを更新させることができる。
【００２２】
以下、図面を参照しながら、本開示の実施の形態に係る認証システムについて説明する。なお、以下で説明する実施の形態は、いずれも本開示の好ましい一具体例を示す。つまり、以下の実施の形態で示される数値、形状、材料、構成要素、構成要素の配置および接続形態、ステップ、ステップの順序などは、本開示の一例であり、本開示を限定する主旨ではない。本開示は、請求の範囲の記載に基づいて特定される。したがって、以下の実施の形態における構成要素のうち、本開示の最上位概念を示す独立請求項に記載されていない構成要素は、本開示の課題を達成するために必ずしも必要ではないが、より好ましい形態を構成する構成要素として説明される。
【００２３】
（実施の形態１）
１．システムの構成
ここでは、本開示の実施の形態として、本開示に関わる認証システム１０について図面を参照しながら説明する。
【００２４】
１．１  認証システム１０の全体構成
図１は、本開示に係る認証システム１０の全体構成を示す図である。認証システム１０は、コントローラ１００、機器２００、サーバ３００、ポータルサーバ４００から構成される。コントローラ１００ａ〜ｂは、機器を制御する機能を持った機器である。また、コントローラ１００ａ〜ｂは、サーバと接続し、サーバへ家電履歴の情報の送信や、サーバから制御依頼を受信し、家電機器を制御するなどの機能を持つ。機器２００ａ〜ｃは、テレビやレコーダー、エアコン、冷蔵庫、蓄電池など、機器履歴情報を収集する家電機器や住宅設備機器である。サーバ３００ａ〜ｃはコンテンツを配信するコンテンツサーバや家電機器を製造するメーカサーバ、サービスを提供するサービスプロバイダのサービスサーバである。具体的な一例として、家庭内の機器の履歴情報がコントローラに送信され、コントローラは機器の履歴情報をメーカサーバに送信する。また、サービスサーバが電力会社としたとき、電力会社から家庭のスマートメータ（図示しない）を経由してコントローラに接続する。コントローラは電力会社からの電力情報を基に、家庭内の機器を制御し、家庭内の電力消費を抑える。
【００２５】
１．２  コントローラ１００の構成
図２は、コントローラ１００ａの構成図である。コントローラ１００ａは、機器管理部１０１、機器情報保持部１０２、認証処理部１０３、認証情報保持部１０４、通信部１０５から構成される。コントローラ１００ｂも同様の構成である。
【００２６】
機器管理部１０１は、コントローラに接続される機器を管理する。機器からの接続依頼があった場合、機器管理部１０１は、機器から受信した公開鍵証明書を認証処理部１０３に送信し、認証処理を依頼する。機器管理部１０１は、認証処理部１０３から認証結果を受信する。認証成功の場合、機器管理部１０１は、機器情報保持部１０２で保持する接続機器管理テーブルに機器ＩＤと証明書のＩＤを登録する。
【００２７】
機器情報保持部１０２は、コントローラに接続する機器の情報を管理する。図３は機器情報保持部１０２がもつ機器情報管理テーブルの一例を示した図である。機器情報管理テーブルは機器ＩＤと、機器がもつ公開鍵証明書の証明書ＩＤを記録する。
【００２８】
認証処理部１０３は、機器との認証処理を行う。また、認証処理部１０３は、機器管理部１０１から機器の公開鍵証明書とともに認証依頼を受けると、認証情報保持部１０４に記録されているＣＲＬを取得し、機器の公開鍵証明書の証明書ＩＤがＣＲＬに記載されているかを検証する。また、認証処理部１０３は、公開鍵証明書の署名を認証局であるポータルサーバの公開鍵（図示しない）を用いて検証する。また、認証処理部１０３は、乱数を生成し、機器に乱数を送信する。認証処理部１０３は、機器から受信した乱数の署名を検証する。いずれの検証においても失敗した場合、認証処理部１０３は、機器が不正機器であると判断する。
【００２９】
認証情報保持部１０４は、秘密鍵と公開鍵証明書の鍵ペアやＣＲＬを持つ。秘密鍵と公開鍵証明書やＣＲＬは、出荷時に認証情報保持部１０４に埋め込まれる。図４は公開鍵証明書の構成の一例を示す図である。公開鍵証明書は、バージョン、発行者、有効期間の開始と終了、証明書ＩＤ、認証局であるポータルサーバの署名から構成される。図５はＣＲＬの構成の一例を示す図である。ＣＲＬは、ＣＲＬバージョン、発行者、発行日、次回発行日、失効した証明書ＩＤ、認証局であるポータルサーバの署名から構成される。ここで証明書ＩＤは一つに限定するわけではなく、複数の証明書ＩＤがあってもよい。
【００３０】
通信部１０５は、機器２００やメーカサーバ３００ａやサービスサーバ３００ｂとの通信を行う。通信部１０５は、サーバとの通信ではＳＳＬ（Ｓｅｃｕｒｅ  Ｓｏｃｋｅｔ  Ｌａｙｅｒ）通信を行う。ＳＳＬ通信に必要な証明書は通信部１０５で記録する。
【００３１】
１．３  機器２００の構成
図６は、機器２００の構成図である。機器２００は、機器管理部２０１、機器履歴保持部２０２、機器情報保持部２０３、認証処理部２０４、認証情報保持部２０５、通信部２０６から構成される。
【００３２】
機器管理部２０１は、起動時に、コントローラ１００に接続依頼を送信する。コントローラと接続せずに、コンテンツサーバ３００ｃと接続する場合には、通信部２０６は、コンテンツサーバ３００ｃとの間でＳＳＬ通信を実行する。機器管理部２０１は、コントローラから公開鍵証明書を受信すると、認証処理部２０４に認証依頼を送信する。機器管理部２０１は、認証処理部２０４から認証結果を受信する。認証成功の場合、機器管理部２０１は、機器情報保持部２０３で保持する接続コントローラ管理テーブルにコントローラＩＤと証明書のＩＤを登録する。また、機器管理部２０１は、機器履歴保持部２０２で記録している機器履歴を、定期的または非定期にコントローラ経由でサーバへ送信する。なお、コンテンツサーバと直接接続している場合は、コントローラを経由せずにサーバへ送信する。
【００３３】
機器履歴保持部２０２は、機器の動作履歴を取得し、記録する。
【００３４】
機器情報保持部２０３は、機器に接続するコントローラ１００の情報を管理する。図７は機器情報保持部２０３がもつ接続コントローラ管理テーブルの一例を示した図である。接続コントローラ管理テーブルはコントローラＩＤと、コントローラがもつ公開鍵証明書の証明書ＩＤを記録する。
【００３５】
認証処理部２０４は、コントローラとの認証処理を行う。また、認証処理部２０４は、機器管理部２０１から公開鍵証明書とともに認証依頼を受けると、認証情報保持部２０５に記録されているＣＲＬを取得し、コントローラの公開鍵証明書の証明書ＩＤがＣＲＬに記載されているかを検証する。また、認証処理部２０４は、公開鍵証明書の署名を認証局であるポータルサーバの公開鍵（図示しない）を用いて検証する。また、認証処理部２０４は、乱数を生成し、コントローラに乱数を送信する。認証処理部２０４は、コントローラから受信した乱数の署名を検証する。いずれの検証においても失敗した場合、認証処理部２０４は、コントローラが不正機器であると判断する。
【００３６】
認証情報保持部２０５は、秘密鍵と公開鍵証明書の鍵ペアやＣＲＬを持つ。秘密鍵と公開鍵証明書の鍵ペアやＣＲＬは、機器の出荷時に認証情報保持部２０５に埋め込まれる。公開鍵証明書やＣＲＬはコントローラが持つ公開鍵証明書やＣＲＬと同じ構成であるのでここでの説明は省略する。
【００３７】
通信部２０６は、コントローラ１００やコンテンツサーバ３００ｃとの通信を行う。通信部２０６は、コンテンツサーバとの通信ではＳＳＬ（Ｓｅｃｕｒｅ  Ｓｏｃｋｅｔ  Ｌａｙｅｒ）通信を行う。ＳＳＬ通信に必要な証明書は通信部２０６で記録する。
【００３８】
１．４  メーカサーバ３００ａの構成
図８は、メーカサーバ３００ａの構成図である。メーカサーバ３００ａは、機器情報管理部３０１、機器情報保持部３０２、ＣＲＬ管理部３０３、ＣＲＬ保持部３０４、通信部３０５から構成される。サービスサーバ３００ｂも同様の構成である。
【００３９】
機器情報管理部３０１は、機器情報保持部３０２を制御し、コントローラと機器の紐付けや接続するコントローラや機器のＩＤや公開鍵証明書の証明書ＩＤ、機器の履歴を管理する。また、機器情報管理部３０１は、機器やコントローラの不正を検出した場合、当該機器やコントローラの公開鍵証明書の証明書ＩＤをポータルサーバに通知し、ＣＲＬの発行依頼を行う。機器情報管理部３０１は、ＣＲＬを更新した場合、ＣＲＬ管理部３０３にＣＲＬを送信する。
【００４０】
機器情報保持部３０２は、コントローラや機器のＩＤや証明書のＩＤ、機器の履歴を記録する。図９は、機器情報保持部３０２が持つ、機器情報管理テーブルの一例を示した図である。コントローラのＩＤであるコントローラＩＤ１には機器ＩＤ１から機器ＩＤ３の機器が接続していることを表している。また、コントローラの証明書ＩＤと機器の証明書ＩＤも記録している。機器ＩＤ１の履歴情報は履歴情報１に記録されていることを表している。
【００４１】
ＣＲＬ管理部３０３は、ＣＲＬ保持部３０４を制御し、機器情報管理部３０１からＣＲＬを受信した場合、ＣＲＬ保持部３０４のＣＲＬを更新する。
【００４２】
ＣＲＬ保持部３０４は、ＣＲＬを記録する。
【００４３】
通信部３０５は、コントローラ１００ａおよびポータルサーバ４００との通信を行う。コントローラ１００ａやポータルサーバ４００との通信ではＳＳＬ通信を行う。ＳＳＬ通信に必要な証明書は通信部３０５で記録する。
【００４４】
コンテンツサーバ３００ｃの構成はメーカサーバ３００ａとの構成と異なる。コントローラを経由せずに機器と接続するため、コンテンツサーバ３００ｃと機器間でＳＳＬ認証を実施する。また、機器情報保持部３０２の機器情報管理テーブルはコントローラの情報がない機器情報管理テーブルとなる。
【００４５】
１．５  ポータルサーバ４００の構成
図１０は、ポータルサーバ４００の構成図である。ポータルサーバ４００は、ＣＲＬ管理部４０１、ＣＲＬ保持部４０２、暗号処理部４０３、暗号鍵保持部４０４、通信部４０５から構成される。
【００４６】
ＣＲＬ管理部４０１は、ＣＲＬ保持部４０２を制御し、ＣＲＬを管理する。ＣＲＬ管理部４０１は、メーカサーバ３００ａやサービスサーバ３００ｂなどからＣＲＬの発行依頼を受信すると、ＣＲＬの署名以外のデータを設定し、暗号処理部４０３にＣＲＬの署名生成を依頼する。ＣＲＬ管理部４０１は、暗号処理部４０３から署名生成したＣＲＬを受信し、ＣＲＬ保持部４０２に記録する。
【００４７】
ＣＲＬ保持部４０２は、発行したＣＲＬを記録する。
【００４８】
暗号処理部４０３は、ＣＲＬ管理部４０１から署名生成の依頼を受信すると、暗号鍵保持部４０４に保持する秘密鍵を用いて、ＣＲＬの署名を生成する。ＣＲＬの署名を生成すると、ＣＲＬ管理部４０１へ送信する。
【００４９】
暗号鍵保持部４０４は、認証局となるポータルサーバのＣＲＬ発行用の秘密鍵を保持する。
【００５０】
通信部４０５は、各サーバ３００ａ〜ｃとの通信を行う。各サーバ３００ａ〜ｃとの通信ではＳＳＬ通信を行う。ＳＳＬ通信に必要な証明書は通信部４０５で記録する。
【００５１】
１．６  認証システム１０の動作
認証システム１０の動作には、以下のものがある。
【００５２】
（１）機器からコントローラに接続し、サーバへ登録する機器登録処理
（２）メーカサーバ３００ａのＣＲＬを更新する処理
（３）機器のＣＲＬを更新する処理
以下、それぞれについて図を用いて説明する。
【００５３】
１．６．１  機器登録処理時の動作
図１１から図１２は機器２００ｃがコントローラ１００ａに接続し、メーカサーバ３００ａへ登録する処理のシーケンスを示す。機器２００ａや機器２００ｂがコントローラ１００ａに接続し、メーカサーバ３００ａへ登録する処理や、機器２００ｃがコントローラ１００ｂに接続し、サービスサーバ３００ｂに登録する処理も同様である。
【００５４】
（Ｓ１０１）機器２００ｃからコントローラ１００ａに対し、接続要求を実施する。このとき機器の機器ＩＤ、公開鍵証明書も合わせて送信する。
【００５５】
（Ｓ１０２）コントローラ１００ａが接続要求を受信した機器２００ｃの公開鍵証明書の証明書ＩＤが認証情報保持部で保持するＣＲＬに記載されているかを検証する。ＣＲＬに記載されている場合、機器２００ｃへエラーを通知して処理を終了する。
【００５６】
（Ｓ１０３）コントローラ１００ａは機器２００ｃから受信した公開鍵証明書の署名を検証する。検証が成功しない場合、機器２００ｃへエラーを通知して処理を終了する。このときの署名はＥＣＤＳＡ（Ｅｌｌｉｐｔｉｃ  Ｃｕｒｖｅ  Ｄｉｇｉｔａｌ  Ｓｉｇｎａｔｕｒｅ  Ａｌｇｏｒｉｔｈｍ）であってもよい。ＥＣＤＳＡについては、非特許文献３に記載されているためここでは述べない。
【００５７】
（Ｓ１０４）コントローラ１００ａは乱数を生成し、コントローラＩＤと公開鍵証明書とともに機器２００ｃへ送信する。
【００５８】
（Ｓ１０５）機器２００ｃは接続要求を送信したコントローラ１００ａの公開鍵証明書の証明書ＩＤが保持するＣＲＬに記載されているかを検証する。ＣＲＬに記載されている場合、コントローラ１００ａへエラーを通知して処理を終了する。
【００５９】
（Ｓ１０６）機器２００ｃはコントローラ１００ａから受信した公開鍵証明書の署名を検証する。検証が失敗した場合、コントローラ１００ａへエラーを通知して処理を終了する。
【００６０】
（Ｓ１０７）機器２００ｃはコントローラ１００ａから受信した乱数と機器２００ｃの秘密鍵から署名を生成する。
【００６１】
（Ｓ１０８）機器２００ｃは乱数を生成し、Ｓ１０７で生成した署名とともにコントローラ１００ａへ送信する。
【００６２】
（Ｓ１０９）コントローラ１００ａは署名と乱数を受信し、Ｓ１０１で受信した公開鍵証明書を用いて署名の検証を行う。署名の検証が成功しない場合、機器２００ｃへエラーを通知して処理を終了する。
【００６３】
（Ｓ１１０）コントローラ１００ａはＳ１０９で受信した乱数とコントローラ１００ａの秘密鍵から署名を生成し、署名を機器２００ａへ送信する。
【００６４】
（Ｓ１１１）機器２００ｃは署名を受信し、Ｓ１０４で受信した公開鍵証明書を用いて署名の検証を行う。署名の検証が成功しない場合、コントローラ１００ａへエラーを通知して処理を終了する。
【００６５】
（Ｓ１１２）機器２００ｃはＳ１１１で検証が成功した場合、コントローラを接続コントローラ管理テーブルに登録する。
【００６６】
（Ｓ１１３）コントローラ１００ａはコントローラＩＤと公開鍵証明書の証明書ＩＤ、Ｓ１０９で検証が成功した機器の機器ＩＤと公開鍵証明書の証明書ＩＤをメーカサーバに送信し、機器の機器ＩＤと公開鍵証明書の証明書ＩＤを接続機器管理テーブルに登録する。
【００６７】
（Ｓ１１４）メーカサーバ３００ａはコントローラ１００ａからコントローラ１００ａのコントローラＩＤと公開鍵証明書の証明書ＩＤ、機器２００ｃの機器ＩＤと公開鍵証明書の証明書ＩＤを受信すると、機器情報管理テーブルに登録する。
【００６８】
１．６．２  メーカサーバ３００ａのＣＲＬを更新する処理時の動作
図１３に、メーカサーバ３００ａのＣＲＬを更新するシーケンスを示す。
【００６９】
（Ｓ１２１）メーカサーバ３００ａは不正機器を検出する。具体的な一例として、同じ証明書ＩＤの複数のコントローラがメーカサーバ３００ａに接続していることを検出した場合や、同じ証明書ＩＤの複数の機器がメーカサーバ３００ａに登録されたことを検出した場合などである。また、秘密鍵が漏えいしたと検出できた場合も対応する公開鍵証明書を保持する機器やコントローラを不正機器と判断する。
【００７０】
（Ｓ１２２）メーカサーバ３００ａはＣＲＬに記載の証明書ＩＤにＳ１２１で検出した不正機器や不正コントローラの証明書ＩＤを追加する。
【００７１】
（Ｓ１２３）メーカサーバ３００ａは不正機器や不正コントローラのすべての証明書ＩＤとともにＣＲＬ発行依頼を認証局であるポータルサーバ４００に送信する。
【００７２】
（Ｓ１２４）ポータルサーバ４００は受信した証明書ＩＤからＣＲＬを発行する。
【００７３】
（Ｓ１２５）ポータルサーバ４００はＣＲＬをメーカサーバ３００ａへ送信する。
【００７４】
（Ｓ１２６）メーカサーバ３００ａは受信したＣＲＬをＣＲＬ保持部に記録し、最新のＣＲＬに更新する。
【００７５】
上記はメーカサーバ３００ａのＣＲＬを更新する処理を一例としているが、サービスサーバ３００ｂやコンテンツサーバ３００ｃが保持するＣＲＬを更新する処理も同様の処理である。
【００７６】
また、メーカサーバ３００ａはＳ１２１で不正機器を検出しなくとも、次回発行日前にＣＲＬを更新する。
【００７７】
１．６．３  機器のＣＲＬを更新する処理時の動作
図１４から図１５に、機器２００ｃのＣＲＬをコントローラ１００ｂから更新するシーケンスを示す。コントローラ１００ｂから機器２００ｃのＣＲＬを更新する処理を一例として説明するが、コントローラ１００ａから機器２００ｃのＣＲＬを更新する処理も同様の処理である。
【００７８】
（Ｓ１３１）サービスサーバ３００ｂはＣＲＬを更新後、コントローラ１００ｂにＣＲＬとともにＣＲＬの更新処理を依頼する。
【００７９】
（Ｓ１３２）コントローラ１００ｂはサービスサーバ３００ｂから受信したＣＲＬへ更新する。
【００８０】
（Ｓ１３３）コントローラ１００ｂは接続する機器がＣＲＬに記載されているかを検証する。記載されている場合、サービスサーバ３００ｂに通知し、記載されている機器の登録を削除する。
【００８１】
（Ｓ１３４）コントローラ１００ｂは接続するすべての機器２００にＣＲＬとともにＣＲＬの更新処理を依頼する。ここでは機器２００ｃに更新処理を依頼した例を基に説明する。
【００８２】
（Ｓ１３５）機器２００ｃは受信したＣＲＬの署名を検証する。検証が成功しない場合、ＣＲＬの更新処理を終了する。
【００８３】
（Ｓ１３６）機器２００ｃは接続するすべてのコントローラがＣＲＬに記載されているかを検証する。接続するコントローラが１つでも記載されている場合、他の機器やコントローラに不正コントローラの検出を通知する。また、接続コントローラ管理テーブルの当該不正コントローラの登録を削除する。
【００８４】
（Ｓ１３７）機器２００ｃはコントローラ１００ｂから受信したＣＲＬと認証情報保持部のＣＲＬとを比較し、矛盾があるかの検証を行う。具体的には、コントローラ１００ａから受信したＣＲＬが記録されている場合、コントローラ１００ｂから受信したＣＲＬの発行日と、コントローラ１００ａから受信していたＣＲＬの次回発行日を比較する。コントローラ１００ａから受信していたＣＲＬの次回発行日がコントローラ１００ｂから受信したＣＲＬの発行日より以前の場合、コントローラ１００ａから受信していたＣＲＬの次回発行日が過ぎていると判断し、コントローラ１００ａがＣＲＬを更新しなかったとして、不正なコントローラとして検出する。また、コントローラ１００ａとコントローラ１００ｂから受信したＣＲＬのバージョンを比較し、ＣＲＬのバージョンが一致しない場合、ＣＲＬのバージョンが古いＣＲＬを送信したコントローラがＣＲＬを更新しなかったとして、不正なコントローラとして検出する。このとき、機器２００ｃは他の機器やコントローラに不正コントローラの検出を通知する。また、接続コントローラ管理テーブルの当該不正コントローラの登録を削除する。また、コントローラ１００ａとの接続を遮断する。
【００８５】
なお、ここではＣＲＬの矛盾の検証にＣＲＬの発行日、バージョンを用いたが、ＣＲＬの新旧を識別できる情報であれば、これに限定されない。
【００８６】
（Ｓ１３８）機器２００ｃは受信したＣＲＬを認証情報保持部に記録する。
【００８７】
図１６に、機器２００ｃのＣＲＬをコンテンツサーバ３００ｃから更新するシーケンスを示す。
【００８８】
（Ｓ１４１）コンテンツサーバ３００ｃはＣＲＬを更新後、機器２００ａにＣＲＬとともにＣＲＬの更新処理を依頼する。
【００８９】
（Ｓ１４２）機器２００ｃは接続するすべてのコントローラがＣＲＬに記載されているかを検証する。接続するコントローラが１つでも記載されている場合、他の機器やコントローラ、コンテンツサーバ３００ｃに不正コントローラの検出を通知する。また、接続コントローラ管理テーブルの当該不正コントローラの登録を削除する。
【００９０】
（Ｓ１４３）はＳ１３７の処理と同様のため省略する。
【００９１】
（Ｓ１４４）はＳ１３８の処理と同様のため省略する。
【００９２】
１．７  実施の形態１の効果
１つのコントローラと接続する機器は、当該コントローラが不正コントローラの場合、ＣＲＬが更新できなかった。実施の形態１では、機器が複数のコントローラからＣＲＬを受信している。これにより、複数のネットワークを経由してＣＲＬを取得し、更新ができる。ＣＲＬを更新可能とすることで、不正なコントローラとの接続を防止でき、正規のコントローラと機器間で安全に接続することができる。
【００９３】
（実施の形態２）
２．システムの構成
ここでは、本開示の実施の形態として、本開示に関わる認証システム１１について図面を参照しながら説明する。
【００９４】
実施の形態２における認証システム１１では、コントローラと機器間で認証後、通信用の暗号鍵を共有し、暗号通信で機器の履歴情報をサーバへ送信する。
【００９５】
２．１  認証システム１１の全体構成
実施の形態２の認証システム１１の全体構成は実施の形態１と同様であるため、ここでは省略する。実施の形態１と同様の機能を有する構成要素は、同じ符号を付して説明を省略する。
【００９６】
２．２  認証システム１１の動作
認証システム１１の動作には、以下のものがある。
【００９７】
（１）機器からコントローラに接続し、サーバへ登録する機器登録処理
（２）メーカサーバ３００ａのＣＲＬを更新する処理
（３）機器のＣＲＬを更新する処理
（４）機器からサーバへ機器履歴情報を送信する処理
（２）、（３）の処理は実施の形態１と同様のため、ここでの説明を省略する。
【００９８】
以下、それぞれについて図を用いて説明する。
【００９９】
２．２．１  機器登録処理時の動作
図１７から図１９は機器２００ｃがコントローラ１００ａに接続し、メーカサーバへ登録する処理のシーケンスを示す。機器２００ａや機器２００ｂがコントローラ１００ａに接続し、メーカサーバへ登録する処理や、機器２００ｃがコントローラ１００ｂに接続し、サービスサーバに登録する処理も同様である。
【０１００】
（Ｓ２０１）から（Ｓ２０３）の処理は実施の形態１のＳ１０１からＳ１０３の処理と同様のため、ここでの説明を省略する。
【０１０１】
（Ｓ２０４）コントローラ１００ａはコントローラＩＤと公開鍵証明書を機器２００ｃへ送信する。
【０１０２】
（Ｓ２０５）から（Ｓ２０６）の処理はＳ１０５からＳ１０６の処理と同様のため、ここでの説明を省略する。
【０１０３】
（Ｓ２０７）機器２００ｃとコントローラ１００ａは、鍵交換を行う。ここでは楕円曲線暗号の鍵交換方式のＥＣＤＨ（Ｅｌｌｉｐｔｉｃ  Ｃｕｒｖｅ  Ｄｉｆｆｉｅ−Ｈｅｌｌｍａｎ）を用いる。ＥＣＤＨについては、非特許文献４に記載されているためここでは述べない。
【０１０４】
（Ｓ２０８）機器２００ｃとコントローラ１００ａは、鍵交換で共有した鍵を共有鍵として設定する。
【０１０５】
（Ｓ２０９）コントローラ１００ａは乱数を生成し、機器２００ｃへ送信する。
【０１０６】
（Ｓ２１０）機器２００ｃはコントローラ１００ａから乱数を受信し、共有鍵で暗号化する。
【０１０７】
（Ｓ２１１）機器２００ｃは乱数を生成し、Ｓ２１０で生成した暗号化乱数とともにコントローラ１００ａへ送信する。
【０１０８】
（Ｓ２１２）コントローラ１００ａは暗号化乱数と乱数を受信し、暗号化乱数を共有鍵で復号し、Ｓ２１０で生成した乱数と一致するかの検証を行う。検証が成功しない場合、機器２００ｃへエラーを通知して処理を終了する。
【０１０９】
（Ｓ２１３）コントローラ１００ａはＳ２１２での検証が成功した場合、Ｓ２１２で受信した乱数を共有鍵で暗号化し、暗号化乱数を機器２００ｃへ送信する。
【０１１０】
（Ｓ２１４）機器２００ｃは暗号化乱数を受信し、暗号化乱数を共有鍵で復号し、Ｓ２１１で生成した乱数と一致するかの検証を行う。検証が成功しない場合、コントローラ１００ａへエラーを通知して処理を終了する。
【０１１１】
（Ｓ２１５）機器２００ｃはＳ２１４で検証が成功した場合、コントローラ１００ａを接続コントローラ管理テーブルに登録する。図２０は、実施の形態２における接続コントローラ管理テーブルである。実施の形態１の接続コントローラ管理テーブルに加え、コントローラと共有した共有鍵から構成される。
【０１１２】
（Ｓ２１６）コントローラ１００ａはコントローラＩＤと公開鍵証明書の証明書ＩＤ、Ｓ２１２で検証が成功した機器の機器ＩＤと公開鍵証明書の証明書ＩＤをメーカサーバ３００ａに送信し、機器の機器ＩＤと公開鍵証明書の証明書ＩＤを接続機器管理テーブルに登録する。図２１は、実施の形態２における接続機器管理テーブルである。実施の形態１の接続機器管理テーブルに加え、機器と共有した共有鍵から構成される。
【０１１３】
（Ｓ２１７）は実施の形態１のＳ１１４の処理と同様のため、ここでの説明は省略する。
【０１１４】
２．２．２  機器からメーカサーバ３００ａへ機器履歴情報を送信する処理時の動作
図２２に、機器からのメーカサーバ３００ａへ機器履歴情報を送信するシーケンスを示す。なお、このアップロードは、定期的、あるいは不定期に行われる。
【０１１５】
（Ｓ２２１）機器は蓄積した機器履歴情報を、共有鍵で暗号化し、機器ＩＤとともにコントローラに送信する。
【０１１６】
（Ｓ２２２）コントローラは、機器ＩＤと暗号化された機器履歴情報を受信し、機器ＩＤから共有鍵を検索し、共有鍵で機器履歴情報を復号する。
【０１１７】
（Ｓ２２３）コントローラとメーカサーバ３００ａはＳＳＬの認証を行い、暗号通信路を確立する。
【０１１８】
（Ｓ２２４）コントローラは、コントローラのＩＤと機器から受信した機器ＩＤと機器履歴情報をメーカサーバ３００ａへ送信する。
【０１１９】
（Ｓ２２５）メーカサーバ３００ａは、受信したコントローラのＩＤと機器ＩＤと機器履歴情報を登録する。
【０１２０】
２．３  実施の形態２の効果
実施の形態１では、機器の認証時に鍵交換を行い、共有した鍵を用いてチャレンジレスポンス認証を行っている。共有した鍵は秘密鍵と対応する公開鍵のみから生成できるため、公開鍵証明書の公開鍵に対応する秘密鍵を持っていない場合、共有鍵が生成できず、チャレンジレスポンス認証が成功しない。これにより、秘密鍵を用いた署名生成および公開鍵を用いた署名検証を行う認証処理に比べ、認証処理を軽減することが可能となる。また機器の履歴情報を共有鍵によって暗号通信が可能になり、機器の履歴情報の漏洩を防止することができる。
【０１２１】
（実施の形態３）
実施の形態３では、機器が動作履歴情報をコントローラ経由でサーバにアップロードする際に、動作履歴情報と共にＣＲＬ情報を付加してアップロードする。サーバ側では、機器から送信されたＣＲＬ情報により、コントローラが不正であるかどうかを判断する。以降で図を用いて詳細に説明する。
【０１２２】
図２３は、実施の形態３に係る認証システム１０の全体構成を示す図である。認証システム１０は、コントローラ１００、機器２００、サーバ３００、ポータルサーバ４００から構成される。実施の形態１と同様の構成については同じ符号を付し、説明を省略する。実施の形態１と異なるのは、メーカサーバ３００ａがコントローラ１００ａとコントローラ１００ｂにネットワークを介して接続されている点である。
【０１２３】
図２４は、実施の形態３における機器２００ａの構成図である。機器２００ａは、機器管理部２０１、機器履歴保持部２０２、機器情報保持部２０３、認証処理部２０４、認証情報保持部２０５、通信部２０６、認証情報付加部５００から構成される。
【０１２４】
機器管理部２０１、機器履歴保持部２０２、機器情報保持部２０３、認証処理部２０４、認証情報保持部２０５、通信部２０６は、実施の形態１の図６を用いて説明したものと同様なので、ここでの説明を省略する。
【０１２５】
認証情報付加部５００は、機器履歴保持部２０２に保持している機器履歴情報６００をメーカサーバ３００ａにアップロードする際に、機器履歴情報に対して、認証情報保持部２０５が保持しているＣＲＬの情報を付与したＣＲＬ情報付加機器履歴情報７００を生成する。ＣＲＬ情報付加機器履歴情報７００については図２６を用いて後述する。
【０１２６】
図２５は、実施の形態３における機器履歴保持部２０２が保持する機器履歴情報６００を示した図である。
【０１２７】
機器履歴情報６００は、機器に対して誰がいつ、どんな操作をしたかを保持する情報であり、ユーザが操作した日時６０１、操作履歴内容６０２、操作した人であるユーザＩＤ６０３から構成される。
【０１２８】
図２６は、実施の形態３におけるＣＲＬ情報付加機器履歴情報７００を示した図である。
【０１２９】
ＣＲＬ情報付加機器履歴情報７００は、機器ＩＤ７０１、機器履歴情報６００、ＣＲＬバージョン７０２から構成されたものに対して、機器の秘密鍵で署名７０３が付与されたものである。署名生成の方法については実施の形態１と同様なので説明を省略する。ＣＲＬ情報付加機器履歴情報７００は、通信部２０６により、コントローラを介して最終的にサーバにアップロードされる。ＣＲＬ情報付加機器履歴情報７００がサーバにアップロードするシーケンスにつては図２９から図３１を用いて後述する。
【０１３０】
図２７は、実施の形態３におけるメーカサーバ３００ａの構成図である。メーカサーバ３００ａは、機器情報管理部３０１、機器情報保持部３０２、ＣＲＬ管理部３０３、ＣＲＬ保持部３０４、通信部３０５、ＣＲＬ判定結果保持部８００から構成される。サービスサーバ３００ｂも同様の構成である。機器情報管理部３０１、機器情報保持部３０２、ＣＲＬ管理部３０３、ＣＲＬ保持部３０４、通信部３０５は、実施の形態１の図８と同様であるので説明を省略する。
【０１３１】
ＣＲＬ判定結果保持部８００は、メーカサーバ３００ａが、コントローラが各機器に対してＣＲＬを正しく配布しているかを判断した結果を保持する。詳細は図２８を用いて説明する。
【０１３２】
図２８は、実施の形態３におけるＣＲＬ判定結果保持部８００が保持するＣＲＬ判定結果情報８０１を示した図である。
【０１３３】
ＣＲＬ判定結果情報８０１は、コントローラＩＤ８０２、不正コントローラ判定結果８０３から構成される。
【０１３４】
不正コントローラ判定結果８０３は、メーカサーバ３００ａが、ＣＲＬ情報付加機器履歴情報７００を用いて、コントローラが不正であるかを判断した結果である。
【０１３５】
不正コントローラ判定結果８０３が「正規」であれば、コントローラが機器に対して最新のＣＲＬを配布していることを示す。一方で不正コントローラ判定結果８０３が「不正」であれば、コントローラが機器に対して最新のＣＲＬを配布していないことを示す。
【０１３６】
図２９から図３１は、機器２００ｃがコントローラ１００ａに接続し、メーカサーバ３００ａへＣＲＬ情報付加機器履歴情報７００をアップロードする時のＣＲＬ更新のシーケンスを示す。機器２００ａや機器２００ｂがコントローラ１００ａに接続し、メーカサーバ３００ａへＣＲＬ情報付加機器履歴情報７００をアップロードする処理も同様である。また、本シーケンスでは、ＣＲＬ情報付加機器履歴情報７００をメーカサーバ３００ａへアップロードしているが、サービスサーバ３００ｂへアップロードしてもよい。その場合も本シーケンスと同様となる。また、ＣＲＬ情報付加機器履歴情報７００のアップロードは、機器２００ｃから定期的、あるいは特定の処理のタイミングをトリガーに行われてもよい。
【０１３７】
（Ｓ３０１）機器２００ｃの認証情報付加部５００は、自身の機器ＩＤと機器履歴情報６００と、認証情報保持部２０５が保持しているＣＲＬから読み出したＣＲＬバージョン情報を連結し、機器２００ｃの秘密鍵で署名を施し、ＣＲＬ情報付加機器履歴情報７００を生成する。署名アルゴリズムはＥｌｌｉｐｔｉｃ  Ｃｕｒｖｅ  Ｃｒｙｐｔｏｓｙｓｔｅｍ（ＥＣＣ）といった公開鍵暗号アルゴリズムを利用する。ＥＣＣ以外の公開鍵暗号を用いてもよい。
【０１３８】
（Ｓ３０２）機器２００ｃはコントローラ１００ａと共有している共有鍵でＣＲＬ情報付加機器履歴情報７００を暗号化する。
【０１３９】
（Ｓ３０３）機器２００ｃは、暗号化されたＣＲＬ情報付加機器履歴情報７００をコントローラ１００ａに送る。
【０１４０】
（Ｓ３０４）コントローラ１００ａは、機器２００ｃから受信した暗号化されたＣＲＬ情報付加機器履歴情報７００を復号する。
【０１４１】
（Ｓ３０５）コントローラ１００ａは、メーカサーバ３００ａとＳＳＬ認証を行い、セッション鍵を共有する。
【０１４２】
（Ｓ３０６）コントローラ１００ａは、コントローラＩＤ、ＣＲＬ情報付加機器履歴情報７００をメーカサーバ３００ａに送信する。
【０１４３】
（Ｓ３０７）メーカサーバ３００ａは、コントローラ１００ａから受信したＣＲＬ情報付加機器履歴情報７００の署名７０３を検証する。検証の結果、検証エラーと判断すれば処理を終了する。そうでなく、検証ＯＫと判断すればＳ３０８へ処理を進める。
【０１４４】
（Ｓ３０８）メーカサーバ３００ａは、受信したＣＲＬ情報付加機器履歴情報７００内のＣＲＬバージョン７０２と、メーカサーバ３００ａのＣＲＬ保持部３０４で保持しているＣＲＬに記載されているＣＲＬバージョンとを比較し、受信したＣＲＬのバージョンが最新かどうかチェックする。チェックの結果、受信したＣＲＬのバージョンが最新であれば、コントローラ１００ａが機器２００ｃに対して最新のＣＲＬを配布していることになるため、コントローラ１００ａに対応する不正コントローラ判定結果を「正規」とし、機器履歴情報をサーバに格納して終了する。そうでなく、受信したＣＲＬのバージョンが最新でなければ、コントローラ１００ａが機器２００ｃに対して最新のＣＲＬを配布していない可能性があるので、コントローラ１００ａに対応する不正コントローラ判定結果を「不正」として記録し、Ｓ３０９へ処理を進める。
【０１４５】
（Ｓ３０９）機器２００ｃに対してＣＲＬの更新要求を行うため、メーカサーバ３００ａは、機器２００ｃが接続されているコントローラ１００ａ以外のコントローラ１００ｂに対してＳＳＬ認証をして接続をする。
【０１４６】
（Ｓ３１０）メーカサーバ３００ａは、機器２００ｃの機器ＩＤと、最新のＣＲＬをコントローラ１００ｂへ送信する。
【０１４７】
（Ｓ３１１）コントローラ１００ｂは、コントローラＩＤとＳ３１０から受信したＣＲＬを機器２００ｃに送信する。
【０１４８】
（Ｓ３１２）Ｓ１３５の処理と同様のため、説明を省略する。
【０１４９】
（Ｓ３１３）Ｓ１３６の処理と同様のため、説明を省略する。
【０１５０】
（Ｓ３１４）Ｓ１３７の処理と同様のため、説明を省略する。
【０１５１】
（Ｓ３１５）Ｓ１３８の処理と同様のため、説明を省略する。
【０１５２】
図３２は、不正コントローラ判定結果を用いたコントローラ１００ａからの要求処理のシーケンス図である。
【０１５３】
（Ｓ４０１）コントローラ１００ａは、メーカサーバ３００ａに対して、コントローラＩＤと処理要求を送る。ここでの処理要求とは、例えば、機器２００ｃを制御するための制御コマンド等である。
【０１５４】
（Ｓ４０２）メーカサーバ３００ａは、コントローラ１００ａに対応する不正コントローラ判定結果８０３を参照し、コントローラ１００ａが「不正」と判断されているかどうかを参照する。参照の結果、コントローラ１００ａが「不正」と判定されていれば、コントローラ１００ａからの要求処理をせず、コントローラ１００ａにエラー通知を送る。
【０１５５】
（Ｓ４０３）不正コントローラ判定結果８０３の参照の結果、コントローラ１００ａが「正規」と判定されていれば、メーカサーバ３００ａは、コントローラ１００ａから要求された処理を実行し、処理結果を返す。
【０１５６】
これまでの実施の形態で、メーカサーバ３００ａは、メーカサーバ３００ａが記録している最新のＣＲＬを参照し、接続先のコントローラＩＤが最新のＣＲＬに記載されているかどうかを確認することで、不正なコントローラであるかどうかを判断できる。しかしながら、新規に見つかった不正コントローラが最新のＣＲＬに登録され、新たなＣＲＬが発行されるまで時間を要する場合がある。本実施の形態では、メーカサーバ３００ａが、ＣＲＬ情報付加機器履歴情報７００を用いて判定した不正コントローラ判定結果８０３を参照するため、不正コントローラがＣＲＬに登録されるまでの期間においても、不正コントローラに経由による機器に対する不正な制御を防止することができる。
【０１５７】
（実施の形態４）
実施の形態４では、機器履歴情報のアップロードのタイミングで、コントローラのＣＲＬを更新する。
【０１５８】
図３３は、本実施の形態４における、ＣＲＬ情報付加機器履歴情報１０００を示した図である。
【０１５９】
ＣＲＬ情報付加機器履歴情報１０００は、ＣＲＬバージョン７０２に代えて、ＣＲＬ１００１を備えた点において、ＣＲＬ情報付加機器履歴情報７００と異なる。ＣＲＬ１００１の構成は、図５と同様のため説明を省略する。
【０１６０】
図３４は、ＣＲＬ情報付加機器履歴情報１０００のアップロード時にコントローラのＣＲＬを更新する場合のシーケンスを示した図である。以下、実施の形態３と異なる部分のみを説明する。
【０１６１】
（Ｓ４０１）Ｓ３０１の処理と同様のため、説明を省略する。
【０１６２】
（Ｓ４０２）Ｓ３０２の処理と同様のため、説明を省略する。
【０１６３】
（Ｓ４０３）Ｓ３０３の処理と同様のため、説明を省略する。
【０１６４】
（Ｓ４０４）Ｓ３０４の処理と同様のため、説明を省略する。
【０１６５】
（Ｓ４０５）コントローラ１００ａは、機器２００ｃから受信したＣＲＬ情報付加機器履歴情報１０００内のＣＲＬ１００１の検証を行う。検証ＮＧの場合は、処理を終了する。検証成功の場合は、Ｓ４０６へ処理を進める。
【０１６６】
（Ｓ４０６）コントローラ１００ａは機器２００ｃから受信したＣＲＬ１００１と、認証情報保持部１０２のＣＲＬとを比較し、矛盾があるかの検証を行う。矛盾の判定方法は、Ｓ１３７と同様であるので、説明を省略する。コントローラ１００ａが記録しているＣＲＬを更新する必要がなければ、ＣＲＬ情報付加機器履歴情報１０００をメーカサーバ３００ａへ送る。
【０１６７】
（Ｓ４０７）Ｓ４０６の結果、機器２００ｃから受信したＣＲＬの方が新しければ、コントローラ１００ａが記録しているＣＲＬをＣＲＬ１００１で更新する。
【０１６８】
このようにすることで、機器履歴情報をコントローラ経由でメーカサーバにアップロードするタイミングで、コントローラが記録しているＣＲＬを更新することが可能となる。
【０１６９】
３．その他変形例
なお、本開示を上記各実施の形態に基づいて説明してきたが、本開示は、上記各実施の形態に限定されないのはもちろんである。以下のような場合も本開示に含まれる。
【０１７０】
（１）上記実施の形態では、コントローラは機器登録処理時にサーバからＣＲＬを取得してもよい。また、機器登録処理時以外でも定期的に取得するとしてもよい。また、ＣＲＬの次回発行日前にサーバに取得するとしてもよい。
【０１７１】
（２）上記実施の形態では、機器はコントローラ経由でサーバと通信し、または機器はコンテンツサーバ３００ｃと通信し、ＣＲＬを取得しているが、これに限定するわけではなく、サーバと接続する携帯端末経由でＣＲＬを取得するとしてもよい。携帯端末と機器間の通信はＮＦＣ（Ｎｅａｒ  ｆｉｅｌｄ  ｃｏｍｍｕｎｉｃａｔｉｏｎ）通信やＢｌｕｅｔｏｏｔｈ（登録商標）通信としてもよい。
【０１７２】
（３）上記実施の形態では、機器がコントローラを不正であると判断した場合、他の機器２００やコントローラに通知しているが、さらに、通知を受信した機器やコントローラに表示機能がある場合、不正なコントローラを検出した旨の表示画面を出力するとしてもよい。また、表示画面がない場合、エラーコードの表示やランプの点滅をするとしてもよい。
【０１７３】
これにより、不正なコントローラを持つユーザが表示を確認することが可能となり、不正なコントローラを交換することができる。
【０１７４】
（４）上記実施の形態２では、共有鍵を用いたチャレンジレスポンス認証を行っているが、これに限定するわけではなく、ＲＦＣ５１９１に記載されている認証方式を用いて、さらにＥＡＰ−ＰＳＫを用いるとしてもよい。
【０１７５】
（５）上記実施の形態１では、機器登録処理時に暗号通信用の鍵を交換するとしてもよい。鍵交換方式として、ＤＨ（Ｄｉｆｆｉｅ−Ｈｅｌｌｍａｎ）やＥＣＤＨを用いるとしてもよい。
【０１７６】
（６）上記実施の形態では、コントローラは、接続する機器の消費電力量や蓄電池の電力量、太陽光発電の発電量を表示するとしてもよい。
【０１７７】
（７）上記実施の形態では、コントローラは、家庭に設置される分電盤であってもよい。
【０１７８】
（８）上記実施の形態では、コントローラと機器間の通信は、Ｗｉ−Ｆｉ、特定小電力無線、電力線通信、Ｂｌｕｅｔｏｏｔｈ（登録商標）であってもよい。
【０１７９】
（９）上記実施の形態では、ポータルサーバ４００が認証局として、ＣＲＬを発行しているが、これに限定するわけではなく、メーカサーバ３００ａやサービスサーバ３００ｂ、コンテンツサーバ３００ｃが認証局となり、ＣＲＬを発行するとしてもよい。
【０１８０】
（１０）上記実施の形態では、不正なコントローラの公開鍵証明書の証明書ＩＤすべてを含んだＣＲＬを発行しているが、これに限定するわけではなく、メーカサーバ３００ａに接続する機器のみのＣＲＬやサービスサーバ３００ｂが提供するサービスに関連する機器やコントローラのＣＲＬ、コンテンツサーバ３００ｃと接続できる機器のみのＣＲＬを発行するとしてもよい。さらに、メーカサーバ３００ａの製造する機器の種別や製造年度ごとにＣＲＬを発行するとしてもよい。
【０１８１】
（１１）上記実施の形態では、不正なコントローラを検知した段階で、機器のＣＲＬの更新を、機器に接続されている不正と判定されていない他のコントローラ経由で行っていたが、これに限らない。コントローラを経由せず、メーカサーバ３００ａから直接機器に対して直接ＣＲＬを配布するようにしてもよい。
【０１８２】
（１２）上記実施の形態では、機器２００ｃのＣＲＬ情報を機器履歴情報に付加していたが、機器履歴情報でなく、機器２００ｃからメーカサーバ３００ａへ送信する情報に対して付加するようにしてもよい。
【０１８３】
（１３）上記実施の形態では、メーカサーバ３００ａが機器からのＣＲＬ情報付加機器履歴情報をもとにコントローラを検知した後、不正なコントローラに対する要求処理を行わないようにしているが、これに限らない。不正なコントローラを新規にＣＲＬに登録されるよう、不正なコントローラの識別情報を、ＣＲＬ発行サーバに通知してもよい。
【０１８４】
（１４）上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記録されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１８５】
（１５）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記録されている。マイクロプロセッサが、コンピュータプログラムにしたがって動作することにより、システムＬＳＩは、その機能を達成する。
【０１８６】
また、上記の各装置を構成する構成要素の各部は、個別に１チップ化されていても良いし、一部又はすべてを含むように１チップ化されてもよい。
【０１８７】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１８８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１８９】
（１６）上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１９０】
（１７）本開示は、上記に示す方法であるとしてもよい。また、これらの方法をコンピュータにより実現するコンピュータプログラムであるとしてもよいし、コンピュータプログラムからなるデジタル信号であるとしてもよい。
【０１９１】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）Ｄｉｓｃ）、半導体メモリなどに記録したものとしてもよい。また、これらの記録媒体に記録されているデジタル信号であるとしてもよい。
【０１９２】
また、本開示は、コンピュータプログラムまたはデジタル信号を、電気通信回線、無線または有線通信回線、インターネットを代表とするネットワーク、データ放送等を経由して伝送するものとしてもよい。
【０１９３】
また、本開示は、マイクロプロセッサとメモリを備えたコンピュータシステムであって、メモリは、上記コンピュータプログラムを記録しており、マイクロプロセッサは、コンピュータプログラムにしたがって動作するとしてもよい。
【０１９４】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１９５】
（１８）上記実施の形態及び上記変形例をそれぞれ組み合わせるとしてもよい。
【産業上の利用可能性】
【０１９６】
本開示は、機器とコントローラが接続するシステムにおいて、機器が不正なコントローラと接続したとしても、複数のネットワークを経由して、ＣＲＬを取得することで、不正なコントローラを検出することができる。
【符号の説明】
【０１９７】
１０，１１  認証システム
１００ａ，１００ｂ  コントローラ
１０１  機器管理部
１０２  機器情報保持部
１０３  認証処理部
１０４  認証情報保持部
１０５  通信部
２００ａ，２００ｂ，２００ｃ  機器
２０１  機器管理部
２０２  機器履歴保持部
２０３  機器情報保持部
２０４  認証処理部
２０５  認証情報保持部
２０６  通信部
３００ａ  メーカサーバ
３００ｂ  サービスサーバ
３００ｃ  コンテンツサーバ
３０１  機器情報管理部
３０２  機器情報保持部
３０３  ＣＲＬ管理部
３０４  ＣＲＬ保持部
３０５  通信部
４００  ポータルサーバ
４０１  ＣＲＬ管理部
４０２  ＣＲＬ保持部
４０３  暗号処理部
４０４  暗号鍵保持部
５００  認証情報付加部
６００  機器履歴情報
６０１  日時
６０２  操作履歴内容
６０３  ユーザＩＤ
７００，１０００  ＣＲＬ付加機器履歴情報
７０１  機器ＩＤ
７０２  ＣＲＬバージョン
７０３  署名
８００  ＣＲＬ判定結果保持部
８０１  ＣＲＬ判定結果情報
８０２  コントローラＩＤ
８０３  不正コントローラ判定結果
１００１  ＣＲＬ
【図１】
0006464511.tif 000002
【図２】
0006464511.tif 000003
【図３】
0006464511.tif 000004
【図４】
0006464511.tif 000005
【図５】
0006464511.tif 000006
【図６】
0006464511.tif 000007
【図７】
0006464511.tif 000008
【図８】
0006464511.tif 000009
【図９】
0006464511.tif 000010
【図１０】
0006464511.tif 000011
【図１１】
0006464511.tif 000012
【図１２】
0006464511.tif 000013
【図１３】
0006464511.tif 000014
【図１４】
0006464511.tif 000015
【図１５】
0006464511.tif 000016
【図１６】
0006464511.tif 000017
【図１７】
0006464511.tif 000018
【図１８】
0006464511.tif 000019
【図１９】
0006464511.tif 000020
【図２０】
0006464511.tif 000021
【図２１】
0006464511.tif 000022
【図２２】
0006464511.tif 000023
【図２３】
0006464511.tif 000024
【図２４】
0006464511.tif 000025
【図２５】
0006464511.tif 000026
【図２６】
0006464511.tif 000027
【図２７】
0006464511.tif 000028
【図２８】
0006464511.tif 000029
【図２９】
0006464511.tif 000030
【図３０】
0006464511.tif 000031
【図３１】
0006464511.tif 000032
【図３２】
0006464511.tif 000033
【図３３】
0006464511.tif 000034
【図３４】
0006464511.tif 000035